(57)【要約】【課題】省エネルギーで室温調整を行うことができると共に、室内で発生する音を吸音することができる壁構造の提供。【解決手段】壁構造１は、断熱材２と、蓄熱材３と、有孔板４とを備え、壁の内部から室内側へ向かって断熱材２、蓄熱材３および有孔板４の順に配置され、有孔板４の開口１９を介して室内と壁内とが連通される。壁内には、上下複数段に棚材６が設けられる。各棚材６には、左右方向へ沿って複数の蓄熱材３が互いに間隔をあけて設けられる。この際、蓄熱材３は、有孔板４および断熱材２との間にそれぞれ隙間をあけて配置される。各段の棚材６に設けられる複数の蓄熱材３は、隣接する蓄熱材３，３同士の間隔が変更可能とされている。【選択図】図１
2019173434.tif 000002
【特許請求の範囲】
【請求項１】
断熱材と、蓄熱材と、多数の貫通穴を有する有孔板とを備え、壁の内部から室内側へ向かって前記断熱材、前記蓄熱材および前記有孔板の順に配置され、前記貫通穴を介して室内と壁内とが連通される壁構造であって、
壁内に上下複数段に設けられる棚材それぞれに、前記蓄熱材が壁の幅方向へ沿って複数設けられると共に前記有孔板および前記断熱材との間に隙間をあけて設けられ、
各段において互いに隣接する前記蓄熱材同士の間隔が変更可能とされる
ことを特徴とする壁構造。
【請求項２】
吸音可能な素材から形成される断熱材と、蓄熱材と、多数の貫通穴を有する有孔板とを備え、壁の内部から室内側へ向かって前記断熱材、前記蓄熱材および前記有孔板の順に配置され、前記貫通穴を介して室内と壁内とが連通される壁構造であって、
壁内に上下複数段に設けられる棚材それぞれに、前記蓄熱材が壁の幅方向へ沿って複数設けられると共に前記有孔板との間に隙間をあけて設けられ、
各段において互いに隣接する前記蓄熱材同士の間隔が変更可能とされ、
前記蓄熱材と前記断熱材とが接触して、前記蓄熱材と前記断熱材との間の隙間が形成されない
ことを特徴とする壁構造。
【請求項３】
前記各蓄熱材が前記棚材の所定位置に着脱可能に設けられることで、前記間隔が変更可能とされる
ことを特徴とする請求項１または請求項２に記載の壁構造。
【請求項４】
前記各蓄熱材が前記棚材に壁の幅方向へ沿ってスライド可能に設けられることで、前記間隔が変更可能とされる
ことを特徴とする請求項１または請求項２に記載の壁構造。
【請求項５】
各段において互いに隣接する前記蓄熱材同士の間隔が変更可能とされることに代えてまたはこれに加えて、壁内の上部領域において、前記棚材に壁の幅方向へ沿って設けられる複数の前記蓄熱材の配置密度が、前記上部領域の下側の下部領域において、前記棚材に壁の幅方向へ沿って設けられる複数の前記蓄熱材の配置密度よりも密とされる
ことを特徴とする請求項１〜４のいずれか１項に記載の壁構造。
【請求項６】
二枚の前記有孔板が重ねて配置され、
一方の有孔板の貫通穴と他方の有孔板の貫通穴とが重なることで開口が形成されており、
一方または双方の有孔板を壁の幅方向へ沿ってスライドさせることで、前記開口の開口度合が調整される
ことを特徴とする請求項１〜５のいずれか１項に記載の壁構造。
【発明の詳細な説明】
【技術分野】
【０００１】
本発明は、壁の内部に設けられる蓄熱材によって室内の温度を調整することができると共に、室内で生じた音を吸音することができる壁構造に関するものである。
【背景技術】
【０００２】
従来、室内の温度を調整する際には、通常、エアコンなどの空調機が用いられている。この場合、空調機を停止させると、室温を維持するのが困難であり、室温の変動が大きくなる。たとえば、空調機を暖房運転することで室内を加温した後、運転を停止すると、室内の温度が下降していくことになる。また、暖房開始時においては、空調機のエネルギーが大きくなり、省エネルギーを図ることができない。
【０００３】
そこで、たとえば、下記特許文献１に開示されるような蓄熱設備が提案されている。この蓄熱設備は、ファンを制御することで、室内から取入口を介して壁内に取り入れられた空気を、壁内の蓄熱体と接触させた後に吐出口を介して室内に吐出することができるものである。このような構成であるので、熱エネルギーを蓄熱しておき、その蓄熱しておいた熱エネルギーを室内に放出して、室内の温度を調整することができ、省エネルギー化を図ることができる。
【０００４】
また、住宅などにおいては、前述した室温調整の問題の他に、室内で発生する音の問題がある。この問題に対しては、壁に防音材を設置するなどの種々の提案がなされている。
【０００５】
このように、室温調整の問題と、室内の音の問題とは、それぞれ個別の方法で解決されている。従って、コストが多大となることが問題となっており、その解決が望まれている。
【先行技術文献】
【特許文献】
【０００６】
【特許文献１】特開平１０−１６９０２８号公報
【発明の概要】
【発明が解決しようとする課題】
【０００７】
本発明は、このような問題に鑑みてなされたものであり、その主たる目的は、簡易な構成で、省エネルギーで室温調整を行うことができると共に、室内で発生する音を吸音することができる壁構造を提供することにある。
【課題を解決するための手段】
【０００８】
上記目的を達成するための本発明に係る壁構造は、断熱材と、蓄熱材と、多数の貫通穴を有する有孔板とを備え、壁の内部から室内側へ向かって前記断熱材、前記蓄熱材および前記有孔板の順に配置され、前記貫通穴を介して室内と壁内とが連通される壁構造であって、壁内に上下複数段に設けられる棚材それぞれに、前記蓄熱材が壁の幅方向へ沿って複数設けられると共に前記有孔板および前記断熱材との間に隙間をあけて設けられ、各段において互いに隣接する前記蓄熱材同士の間隔が変更可能とされることを特徴とする。
【０００９】
また、本発明に係る壁構造は、吸音可能な素材から形成される断熱材と、蓄熱材と、多数の貫通穴を有する有孔板とを備え、壁の内部から室内側へ向かって前記断熱材、前記蓄熱材および前記有孔板の順に配置され、前記貫通穴を介して室内と壁内とが連通される壁構造であって、壁内に上下複数段に設けられる棚材それぞれに、前記蓄熱材が壁の幅方向へ沿って複数設けられると共に前記有孔板との間に隙間をあけて設けられ、各段において互いに隣接する前記蓄熱材同士の間隔が変更可能とされ、前記蓄熱材と前記断熱材とが接触して、前記蓄熱材と前記断熱材との間の隙間が形成されないことを特徴とする。
【００１０】
また、本発明に係る壁構造は、前記各蓄熱材が前記棚材の所定位置に着脱可能に設けられることで、前記間隔が変更可能とされることを特徴とする。
【００１１】
また、本発明に係る壁構造は、前記各蓄熱材が前記棚材に壁の幅方向へ沿ってスライド可能に設けられることで、前記間隔が変更可能とされることを特徴とする。
【００１２】
また、本発明に係る壁構造は、各段において互いに隣接する前記蓄熱材同士の間隔が変更可能とされることに代えてまたはこれに加えて、壁内の上部領域において、前記棚材に壁の幅方向へ沿って設けられる複数の前記蓄熱材の配置密度が、前記上部領域の下側の下部領域において、前記棚材に壁の幅方向へ沿って設けられる複数の前記蓄熱材の配置密度よりも密とされることを特徴とする。
【００１３】
さらに、本発明に係る壁構造は、二枚の前記有孔板が重ねて配置され、一方の有孔板の貫通穴と他方の有孔板の貫通穴とが重なることで開口が形成されており、一方または双方の有孔板を壁の幅方向へ沿ってスライドさせることで、前記開口の開口度合が調整されることを特徴とする。
【発明の効果】
【００１４】
本発明に係る壁構造によれば、室内と壁内とが有孔板の貫通穴を介して互いに連通されており、壁内には蓄熱材が設けられる。従って、蓄熱材に熱を蓄熱することができ、蓄熱された熱を室内へ放出することができる。これに加えて、隣接する蓄熱材同士の間隔が適宜に変更可能とされるので、間隔寸法に応じた周波数の音を吸音することができる。このようにして、蓄熱材を用いて室温調整する構造を利用して、室内で生じた音の吸音を行うことができる。
【００１５】
また、本発明に係る壁構造によれば、室内と壁内とが有孔板の貫通穴を介して互いに連通されており、壁内には蓄熱材が設けられる。従って、蓄熱材に熱を蓄熱することができ、蓄熱された熱を室内へ放出することができる。これに加えて、隣接する蓄熱材同士の間隔が適宜に変更可能とされるので、間隔寸法に応じた周波数の音を吸音することができる。また、断熱材が吸音可能な素材から形成されているので、吸音効果をより向上させることができる。そして、断熱材が吸音可能な素材から形成されているので、蓄熱材と断熱材との間に隙間を形成しなくてもよく、コンパクト化を図ることができる。
【００１６】
また、本発明に係る壁構造によれば、棚材に蓄熱材を取り付けたり、棚材から蓄熱材を取り外したりすることで、隣接する蓄熱材間の間隔を容易に調整することができる。
【００１７】
また、本発明に係る壁構造によれば、各蓄熱材をスライドさせることで、隣接する蓄熱材間の間隔を容易に調整することができる。
【００１８】
また、本発明に係る壁構造によれば、壁内の上部領域に配置される蓄熱材の配置密度が壁内の下部領域に配置される蓄熱材の配置密度よりも密とされるので、天井付近で生じる音を効果的に吸音することができる。
【００１９】
さらに、本発明に係る壁構造によれば、有孔板をスライドさせることで開口の開口度合を調整することができるので、簡易な構成で、有孔板の開口の開口度合に応じた周波数の音を吸音することができる。
【図面の簡単な説明】
【００２０】
【図１】本発明の壁構造の実施例１を示す概略正面図である。
【図２】図１の壁構造の概略平面図である。
【図３】図１の壁構造の概略縦断面図である。
【図４】図１の壁構造に用いられる有孔板の概略正面図であり、（ａ）は貫通穴同士が重なることで形成される開口が開いた状態、（ｂ）は開口が閉じた状態を示している。
【図５】本発明の壁構造の実施例２を示す概略正面図である。
【図６】図５の壁構造の概略縦断面図である。
【図７】本発明の壁構造の実施例３を示す概略正面図であり、一部を省略して示している。
【図８】図７の壁構造の概略縦断面図である。
【発明を実施するための形態】
【００２１】
以下、本発明の壁構造の具体的実施例を図面に基づいて詳細に説明する。
【実施例１】
【００２２】
図１から図３は、本発明の壁構造の実施例１を示す図であり、図１は概略正面図、図２は概略平面図、図３は概略縦断面図である。本実施例の壁構造１は、断熱材２、蓄熱材３および有孔板４を備え、これらが壁の内部から室内側へ向かって断熱材２、蓄熱材３および有孔板４の順に配置される。ここでは、部屋の壁の内、屋外と屋内とを仕切る壁に本実施例の壁構造１が適用された場合について説明する。
【００２３】
断熱材２は、正面視略四角形の板状に形成されており、建築物の構造躯体である柱材５および横材（図示省略）で枠状に形成される各空間内にはめ込まれて設けられる。断熱材２は、その素材を特に問わないが、吸音可能な素材から形成されるのが好ましい。たとえば、吸音可能な素材としては、グラスウール、ロックウールなどが挙げられる。ここでは、断熱材２は、板状に形成されたが、これに限定されるものではなく、たとえば、袋内に繊維状の断熱素材が詰められたものであってもよい。この際、繊維状の断熱素材は、グラスウール、ロックウールなどの吸音可能な素材が好ましい。
【００２４】
断熱材２の前方には、蓄熱材３が配置される。本実施例では、壁内に上下複数段（図示例では六段）に設けられる棚材６それぞれに、複数の蓄熱材３が設けられる。本実施例の各棚材６は、上下方向（壁の高さ方向）に離隔して配置される上側支持部７および下側支持部８を備えて構成される。
【００２５】
上側支持部７は、前後方向（壁の厚さ方向）へ離隔して配置される横片９，９と、前後の横片９，９同士を接続する接続片１０とを有している。前後の横片９，９は、棒状で左右方向（壁の幅方向）へ沿って配置されており、それらが複数の接続片１０により接続される。各接続片１０は、棒状で前後方向へ沿って配置される。この際、複数の接続片１０は、左右方向へ沿って互いに間隔をあけて配置される。
【００２６】
上側支持部７の前側の横片９には、下方へ開口する溝１１が複数形成されている。複数の溝１１は、左右方向へ沿って互いに離隔して、前側の横片９に形成されている。本実施例では、前側の横片９に、左右方向等間隔に複数の溝１１が形成されている。下方へ開口する各溝１１は、前方および後方へも開口して形成されている。上側支持部７の後側の横片９には、下方へ開口する凹部１２が複数形成されている。複数の凹部１２は、左右方向へ沿って互いに離隔して、後側の横片９に形成されている。本実施例では、後側の横片９に、左右方向等間隔に複数の凹部１２が形成されている。下方へ開口する各凹部１２は、前方へも開口して形成されている。各溝１１と各凹部１２とは、前後の横片９，９が接続片１０にて接続された状態において、前後方向へ互いに対応して配置される。
【００２７】
一方、下側支持部８は、上側支持部７を上下逆にした構成である。すなわち、上側支持部７と同様にして、左右方向へ沿って配置される前後の横片１３，１３同士が、左右方向へ沿って互いに離隔する複数の接続片１４により接続され、前側の横片１３に複数の溝１５が形成されると共に、後側の横片１３に複数の凹部１６が複数の溝１５とそれぞれ前後に対応して形成されている。各溝１５は、上側支持部７の溝１１とは上下逆に、上方へ開口して形成されていると共に、前方および後方へ開口して形成されている。また、各凹部１６は、上側支持部７の凹部１２とは上下逆に、上方へ開口して形成されていると共に、前方へ開口して形成されている。
【００２８】
上側支持部７および下側支持部８はそれぞれ、建築物の柱材５から前方へ突出するようにして、後側の横片９，１３が柱材５に釘などで固定される。この際、上側支持部７と下側支持部８とは、上下方向へ互いに離隔して配置される。また、柱材５に接続された状態では、上側支持部７の溝１１と下側支持部８の溝１５とが上下に互いに対応して配置されると共に、上側支持部７の凹部１２と下側支持部８の凹部１６とが上下に互いに対応して配置される。このようにして各棚材６が壁内において柱材５に取り付けられ、その際、上下に隣接する棚材６，６同士が上下に互いに離隔して配置される。
【００２９】
各棚材６には、複数の蓄熱材３が設けられる。各蓄熱材３は、中空状の容器内に潜熱蓄熱剤が収容されたものであり、側面視略四角形の板状に形成されている。ここで、潜熱蓄熱剤は、融解と凝固とを繰り返して蓄熱と放熱とを行うものであり、従来公知のものが用いられる。
【００３０】
図３に示されるように、各段において、蓄熱材３は、その四隅がそれぞれ棚材６に支持される。具体的には、蓄熱材３の前側上角部および後側上角部がそれぞれ上側支持部７の溝１１および上側支持部７の凹部１２に差し込まれ、蓄熱材３の前側下角部および後側下角部がそれぞれ下側支持部８の溝１５および下側支持部８の凹部１６に差し込まれる。前述したように棚材６の上下の溝１１，１５が前方および後方へ開口して形成されているので、蓄熱材３は、棚材６の前方から棚材６の上下の溝１１，１５に通しつつ後方へ押し込み、棚材６の上下の凹部１２，１６に差し込むことができる。従って、各蓄熱材３は、棚材６の所定位置に着脱可能に設けられる。このようにして、棚材６それぞれに、蓄熱材３が左右方向へ沿って複数設けられる共に、複数の蓄熱材３が左右方向等間隔に設けられる。この際、各蓄熱材３は、板面を左右方向に向けて配置される。なお、各蓄熱材３の後端部が棚材６の上下の凹部１２，１６に差し込まれるので、蓄熱材３の後端面と断熱材２の前面との間には隙間１７が形成される。
【００３１】
蓄熱材３の前方には、二枚の有孔板４，４が重ねて配置される。各有孔板４は、正面視略四角形の板状に形成されており、多数の貫通穴１８を有している。各貫通穴１８は、左右方向に細長い長穴とされ、有孔板４の厚さ方向に貫通して形成されている。図示例では、各貫通穴１８は、正面視略小判形状に形成されている。なお、それぞれの有孔板４に形成される貫通穴１８は、同一の形状とされている。
【００３２】
二枚の有孔板４，４は、それぞれが板面を前後方向に向けて配置されると共に、板面同士が重ね合わされる。この際、前側に配置される有孔板４は、後側に配置される有孔板４に対して、左右方向へスライド可能とされる。たとえば、前側に配置される有孔板４を引戸のように構成すればよい。典型的には、前側の有孔板４の上方および下方にそれぞれ横部材が配置され、前側の有孔板４の上端部が上側の横部材に下方へ開口して形成された溝にスライド可能に差し込まれると共に、前側の有孔板４の下端部が下側の横部材に上方へ開口して形成された溝にスライド可能に差し込まれる。
【００３３】
図４は、本実施例の有孔板４の概略正面図であり、（ａ）は前後の有孔板４，４の貫通穴１８，１８同士が重なった状態、（ｂ）は前後の有孔板４，４の貫通穴１８，１８同士がずれた状態を示している。この図に示されるように、前側の有孔板４が前述したようにスライド可能とされるので、前後の有孔板４，４の貫通穴１８，１８同士が重なった状態から、前側の有孔板４を左方へスライドさせて、前後の貫通穴１８，１８同士がずれた状態とすることができる。また、これとは逆に、前後の有孔板４，４の貫通穴１８，１８同士がずれた状態から、前側の有孔板４を右方へスライドさせることで、前後の有孔板４，４の貫通穴１８，１８同士が重なった状態とすることができる。すなわち、前後の有孔板４，４それぞれに形成される複数の貫通穴１８は、有孔板４のスライドにより貫通穴１８，１８同士が重なったりずれたりする位置に形成されている。
【００３４】
前側に配置される有孔板４の貫通穴１８と後側に配置される有孔板４の貫通穴１８とが重なることで、複数の開口１９が形成される。各開口１９は、貫通穴１８，１８同士が完全に重なった状態では、正面視略小判形状で前後方向へ貫通して形成され、貫通穴１８，１８同士が完全にずれた状態では、前側の有孔板４の貫通穴１８が後側の有孔板４で閉塞されると共に、後側の有孔板４の貫通穴１８が前側の有孔板４で閉塞されて、開口１９が形成されない。それ故、各開口１９の有無は、前側の有孔板４をスライドさせることで切り替えることができる。本実施例では、前側の有孔板４をスライドさせる構成であるので、開口１９の有無だけでなく、開口１９の開口度合も調整することができる。すなわち、貫通穴１８，１８の一部同士が重なった状態とすることができ、その重なり具合を調整することができる。
【００３５】
この二枚の有孔板４，４によって、室内空間と壁内空間とが仕切られる。従って、室内と壁内とは、前後の有孔板４，４の貫通穴１８，１８、すなわち開口１９を介して、互いに連通される。一方、貫通穴１８，１８が閉じられた状態、すなわち開口１９が形成されていない状態では、室内と壁内とは、有孔板４を介して連通されない。室内と連通される壁内には、前述したように蓄熱材３および断熱材２が設けられる。この際、二枚の有孔板４，４は、各棚材６と間隔をあけて配置される。すなわち、各蓄熱材３は、後側の有孔板４の後方に、後側の有孔板４との間に隙間２０をあけて設けられる。この隙間２０は、各蓄熱材３の前端面と後側の有孔板４の後面との間に形成される。
【００３６】
本実施例の壁構造１の場合、有孔板４の開口１９を介して室内と連通される壁内に蓄熱材３が設けられるので、室内をエアコンなどの暖房機器で暖房している際には、その熱を有孔板４の開口１９を介して蓄熱材３に蓄熱することができ、暖房機器の停止後には、有孔板４の開口１９を介して蓄熱材３から室内へ熱を放出することができる。従って、暖房機器の停止後においても、室内の温度を維持することができる。また、本実施例の壁構造１の場合、板状の蓄熱材３が左右方向へ互いに間隔をあけて配置されるので、隣接する蓄熱材３，３間に空気を流通させることができる。従って、蓄熱材３への蓄熱をより効果的に行うことができる。また、本実施例の壁構造１の場合、断熱材２が設けられるので、室内の熱が外部へ逃げるのを防止することができる。
【００３７】
また、本実施例の壁構造１の場合、板状の蓄熱材３，３同士が間隔をあけて対面して配置されるので、室内で発生して有孔板４の開口１９を介して入ってきた音を蓄熱材３で吸音することができる。その上、各段の棚材６において、蓄熱材３を着脱して互いに隣接する蓄熱材３，３同士の間隔を変更することができるので、蓄熱材３，３間の間隔に応じた周波数の音を吸音することができる。典型的には、蓄熱材３，３間の間隔が大きい場合には低い音を吸音することができ、蓄熱材３，３間の間隔が小さい場合には高い音を吸音することができる。ここで、本実施例では、各段の棚材６において、各蓄熱材３が棚材６の所定位置に着脱可能とされるので、隣接する蓄熱材３，３間の間隔を変更することができる。すなわち、棚材６から蓄熱材３を取り外すことで蓄熱材３，３間の間隔を大きくすることができ、棚材６のあいている箇所に蓄熱材３を取り付けることで蓄熱材３，３間の間隔を小さくすることができる。従って、隣接する蓄熱材３，３間の間隔を容易に変更することができる。なお、蓄熱材３，３間の間隔の変更は、特に、有孔板４が取り外されるリフォーム時に行われる。
【００３８】
また、本実施例の壁構造１の場合、棚材６に前後の横片９，９および前後の横片１３，１３が用いられるので、棚材６の前後の横片９，９間および前後の横片１３，１３間の隙間を介して、棚材６よりも上方の空間と棚材６よりも下方の空間とが互いに連通されている。従って、上下方向への空気の流れを確保することができるので、蓄熱材３への蓄熱と蓄熱材３からの放熱とを効果的に行うことができる。また、本実施例の壁構造１の場合、前側の有孔板４を左右へスライドさせることで、開口１９の開口度合を調整することができるので、有孔板４で吸音できる音を容易に変更することができる。典型的には、開口度合が大きい場合には低い音を吸音することができ、開口度合が小さい場合には高い音を吸音することができる。
【００３９】
また、本実施例の壁構造１の場合、前側の有孔板４の貫通穴１８と後側の有孔板４の貫通穴１８とで形成される開口１９の有無を切り替えることで、蓄熱材３に蓄熱された熱を室内へ放熱できる状態と、そうでない状態とに切り替えることができる。さらに、本実施例の壁構造１の場合、断熱材２が吸音可能な素材から形成されているので、吸音効果をより高めることができる。
【実施例２】
【００４０】
図５および図６は、本発明の壁構造の実施例２を示す図であり、図５は概略正面図、図６は概略縦断面図である。本実施例２の壁構造１は、基本的には前記実施例１と同様の構成である。そこで、以下においては、両者の異なる点を中心に説明し、対応する箇所には同一の符号を付して説明する。
【００４１】
前記実施例１では、各蓄熱材３が棚材６に着脱可能に設けられることで、蓄熱材３，３間の間隔を変更可能とされたが、本実施例２では、各蓄熱材３が棚材６に左右方向へ沿ってスライド可能に設けられることで、蓄熱材３，３間の間隔が変更可能とされる。具体的には、以下のとおりである。
【００４２】
本実施例２の各棚材６は、各蓄熱材３が載せ置かれる構成であり、前後方向へ離隔して配置される横片２１，２１と、前後の横片２１，２１同士を接続する接続片２２とを有している。前後の横片２１，２１はそれぞれ、棒状で左右方向へ沿って配置されており、上端部に上方へ突出して突条２３が形成されている。前後の横片２１，２１に形成される突条２３，２３はそれぞれ、左右方向へ沿って形成されている。前後の横片２１，２１同士は、突条２３が上方へ突出した状態で、複数の接続片２２により接続される。各接続片２２は、棒状で前後方向へ沿って配置される。この際、複数の接続片２２は、左右方向へ沿って互いに間隔をあけて配置される。
【００４３】
各棚材６は、建築物の柱材５から前方へ突出するようにして、後側の横片２１が柱材５に釘などで固定される。この際、上下に隣接する棚材６，６同士は、上下方向へ互いに離隔して配置される。また、柱材５に固定された状態では、前後の横片２１，２１に形成された突条２３，２３は、上方へ突出している。このようにして、棚材６は、壁内に上下複数段に設けられる。
【００４４】
各棚材６には、複数のスライド片２４がスライド可能に設けられる。各スライド片２４は、前後方向を長手方向とする略長方形の板状に形成されており、板面を上下に向けて配置される。スライド片２４の下面には、下方へ開口する溝２５が前後に離隔して形成されている。前後の溝２５，２５はそれぞれ、左右方向へ沿って形成されており、左方および右方へも開口している。図６に示されるように、スライド片２４は、前側の溝２５に前側の横片２１の突条２３が差し込まれると共に、後側の溝２５に後側の横片２１の突条２３が差し込まれて、棚材６に載せ置かれる。従って、スライド片２４は、棚材６に対して、突条２３に沿って左右方向へスライド可能とされる。なお、スライド片２４が棚材６にスライド可能に設けられる構成は、これに限定されるものではない。
【００４５】
各スライド片２４の上面には、蓄熱材３が設けられる。この際、蓄熱材３は、スライド片２４の長手方向へ沿って立設されて固定される。ここでは、蓄熱材３は、スライド片２４に接着剤などで固定されたが、これに限定されるものではなく、スライド片２４に着脱可能に設けてもよい。たとえば、スライド片２４の上面に上方へ開口する凹状の差込部を形成し、その差込部にスライド片２４の下端部を差し込む構成とされる。なお、蓄熱材３は、前後長さがスライド片２４の前後長さよりも小さく形成されており、スライド片２４の中央部に設けられる。従って、図６に示されるように、蓄熱材３と断熱材２との間には隙間１７が形成される。
【００４６】
本実施例２の壁構造１の場合、各蓄熱材３が棚材６にスライド可能に設けられるので、各段の棚材６において隣接する蓄熱材３，３同士の間隔を変更することができ、これにより、蓄熱材３で吸音できる音を容易に変更することができる。典型的には、蓄熱材３，３間の間隔を大きくする場合には、蓄熱材３，３間の間隔が広がるように、隣接する蓄熱材３，３の一方または双方をスライドさせ、余った蓄熱材３を棚材６から取り外せばよい。一方、蓄熱材３，３間の間隔を小さくする場合には、蓄熱材３，３間の間隔が狭くなるように、隣接する蓄熱材３，３の一方または双方をスライドさせ、蓄熱材３を棚材６に追加すればよい。その他の構成は、前記実施例１と同様のため、説明を省略する。
【実施例３】
【００４７】
図７および図８は、本発明の壁構造の実施例３を示す図であり、図７は有孔板を省略した概略正面図、図８は概略縦断面図である。本実施例３の壁構造１は、基本的には前記実施例１と同様の構成である。そこで、以下においては、両者の異なる点を中心に説明し、対応する箇所には同一の符号を付して説明する。
【００４８】
本実施例３では、壁内の上部領域２６において、棚材６に左右方向へ沿って設けられる複数の蓄熱材３の配置密度が、壁内の下部領域２７において、棚材６に左右方向へ沿って設けられる複数の蓄熱材３の配置密度よりも密とされる。具体的には、以下のとおりである。
【００４９】
本実施例３の各棚材６は、各蓄熱材３が載せ置かれる構成であり、前後方向へ離隔して配置される横片２８，２８と、前後の横片２８，２８同士を接続する接続片２９とを有している。前後の横片２８，２８はそれぞれ、棒状に形成されており、左右方向へ沿って配置される。前側の横片２８には、上方および後方へ開口する凹部３０が左右方向へ沿って互いに離隔して複数形成されている。また、後側の横片２８には、上方および前方へ開口する凹部３１が左右方向へ沿って互いに離隔して複数形成されている。すなわち、後側の横片２８は、前側の横片２８を左右逆にしたものである。前後の横片２８，２８同士は、凹部３０，３１同士が前後に互いに対応して配置された状態で、複数の接続片２９により接続される。各接続片２９は、棒状で前後方向へ沿って配置される。この際、複数の接続片２９は、左右方向へ沿って互いに間隔をあけて配置される。
【００５０】
各棚材６は、建築物の柱材５から前方へ突出するようにして、後側の横片２８が柱材５に釘などで固定される。この際、上下に隣接する棚材６，６同士は、上下方向へ互いに離隔して配置される。また、柱材５に固定された状態では、前側の横片２８の各凹部３０が上方および後方へ開口すると共に、後側の横片２８の各凹部３１が上方および前方へ開口している。このようにして、棚材６は、壁内に上下複数段に設けられる。
【００５１】
各棚材６には、蓄熱材３が複数設けられる。具体的には、各蓄熱材３は、前側下角部が前側の横片２８に形成された凹部３０に差し込まれると共に、後側下角部が後側の横片２８に形成された凹部３１に差し込まれて、板面を左右に向けて配置される。この際、蓄熱材３は、棚材６に接着剤などで固定してもよいし、棚材６に対して着脱可能としてもよい。なお、図８に示されるように、蓄熱材３は、前後の横片２８，２８に形成された凹部３０，３１に差し込まれるので、断熱材２との間に隙間１７が形成される。
【００５２】
ここで、棚材６に左右方向へ沿って複数配置される蓄熱材３の配置密度は、壁内の上部領域２６がそれよりも下側の下部領域２７よりも密とされる。これは、典型的には、壁内の上部領域２６において、棚材６に左右方向へ沿って配置される蓄熱材３の個数が、壁内の下部領域２７において、棚材６に左右方向へ沿って配置される蓄熱材３の個数よりも多いということである。言い換えれば、壁内の上部領域２６において、棚材６に左右方向へ沿って配置される複数の蓄熱材の互いに隣接する蓄熱材３，３間の間隔が、壁内の下部領域２７において、棚材６に左右方向へ沿って配置される複数の蓄熱材３の互いに隣接する蓄熱材３，３間の間隔よりも狭いということである。なお、上部領域２６は、壁内を高さ方向に三等分した際の最も上方に配置される領域であるのが好ましい。
【００５３】
図示例では、六段の棚材６が設けられており、上から一番目および二番目の棚材６が前記上部領域２６に配置されており、上から三番目、四番目、五番目および六番目の棚材６が前記下部領域２７に配置されている。上部領域２６の各棚材６に設けられた複数の蓄熱材３の配置密度は、下部領域２７の各棚材６に設けられた複数の蓄熱材３の配置密度よりも密とされる。ここで、上部領域２６の各棚材６に配置される複数の蓄熱材３の隣接する蓄熱材３，３間の間隔は、２〜４ｋＨｚの音を吸音できる間隔が好ましい。なお、下部領域２７の各棚材６に設けられる複数の蓄熱材３の配置密度は、同一であってもよいし、図７に示すように異なってもよい。
【００５４】
本実施例３の壁構造１の場合、壁内の上部領域２６に配置される複数の蓄熱材３の配置密度が下部領域２７に配置される複数の蓄熱材３の配置密度よりも密とされるので、天井付近で生じる高い音を吸音することができる。たとえば、天井付近で生じやすいフラッターエコーなどの音響障害を防止することができる。その他の構成は、前記実施例１と同様のため、説明を省略する。
【００５５】
本発明の壁構造は、前記各実施例の構成に限らず、適宜変更可能である。たとえば、前記実施例１および前記実施例２では、隣接する蓄熱材３，３同士の間隔が変更可能とされたが、これに加えて、前記実施例３のように蓄熱材３を配置してもよい。すなわち、壁内の上部領域２６において、棚材６に左右方向へ沿って設けられる複数の蓄熱材３の配置密度が、壁内の下部領域２７において、棚材６に左右方向へ沿って設けられる複数の蓄熱材３の配置密度よりも密とされる。また、前記各実施例では、蓄熱材３と断熱材２との間に隙間１７が形成されたが、断熱材２がグラスウール、ロックウールなどから形成される場合には、前記隙間１７を形成しなくてもよい。具体的には、蓄熱材３と断熱材２との間に隙間１７が形成されないように、蓄熱材３と断熱材２とを接触させる。これは、グラスウール、ロックウールなどから形成される断熱材２が、蓄熱材３の後方に設けられる空気層の役割を果たすからである。
【００５６】
また、前記各実施例において、前側の有孔板４を上下に複数に分割して、それぞれが独立して左右にスライドする構成としてもよい。この場合、上下の複数の領域それぞれにおいて、開口１９の開口度合を調整することができる。また、前記各実施例では、前側の有孔板４がスライド可能とされたが、後側の有孔板４がスライド可能であってもよいし、前後の有孔板４，４がそれぞれ独立にスライド可能であってもよい。また、前記各実施例では、有孔板４を二枚用いたが、これに限定されるものではなく、たとえば、一枚であってもよい。この場合、有孔板４は、スライドせずに固定された状態で配置される。また、前記各実施例では、四面の壁の内、一面に本発明が適用されたが、これに限定されるものではなく、たとえば、隣接する二面に適用してもよい。この場合、フラッターエコーをより確実に防止することができる。さらに、前記各実施例では、各棚材６は、建築物の構造躯体である柱材５に固定されたが、これに限定されるものではなく、たとえば、柱材５以外の構造躯体に固定してもよいし、棚材６を支持する支持柱を別途設けてもよい。
【産業上の利用可能性】
【００５７】
本発明の壁構造は、室温の調整、および室内で生じた音の吸音を蓄熱材で行う際に好適に適用される。
【符号の説明】
【００５８】
１  壁構造
２  断熱材
３  蓄熱材
４  有孔板
６  棚材
１７  隙間
１８  貫通穴
１９  開口
２０  隙間
２６  上部領域
２７  下部領域
【図１】
2019173434.tif 000003
【図２】
2019173434.tif 000004
【図３】
2019173434.tif 000005
【図４】
2019173434.tif 000006
【図５】
2019173434.tif 000007
【図６】
2019173434.tif 000008
【図７】
2019173434.tif 000009
【図８】
2019173434.tif 000010